(57)【要約】【課題】  保守作業の効率を高める。【解決手段】  筐体１０は、天面板１１と、天面板１１連なる第１の側面板と、この第１の側面に連なり天面板１１と対向する底面板１３を有する。また、第１の側面板１２に対向する位置には第２の側面板２０が取り外し可能に設けられている。ＰＣサーバ１内には、電源モジュール４０５等の複数のユニット４０がネジ等で筐体１０に接合され、所定のユニット４０間はハーネス等で電気的に接続されている。誘導板３０は、底面板１３上であって、ユニット４０の鉛直下方向に所定の傾斜角αをなすように設けられている。【選択図】  図２
2007034785.tif 000002
【特許請求の範囲】
【請求項１】
天面板と、この天面に垂直に連なる第１の側面板と、この第１の側面に連なり前記天面板と対向する底面板とを有する筐体と、
前記筐体内に所定の接合方式で接合された少なくとも１つのユニットと、
前記ユニットの少なくとも一部の鉛直下方向で、かつ前記底面板上に設けられた誘導板であって、少なくとも１つの端部が前記筐体の前記第１の側面板に対向する面と接し、この接している辺を回転軸として前記底面板と所定の傾斜角をなすように設けられた誘導板と、
を有することを特長とするＰＣサーバ。
【請求項２】
前記誘導板は、第１の端部と、この第１の端部に連なる中央部と、この中央部に所定の角度を有して連なり、前記第１の端部の反対側に位置する第２の端部とを有し、
前記第２の端部は、前記底面板と略並行に設置されたことを特徴とする請求項１に記載のＰＣサーバ。
【請求項３】
前記誘導板は、第１の端部と、この第１の端部に所定の角度を有して連なる中央部と、この中央部に所定の角度を有して連なり、前記第１の端部の反対側に位置する第２の端部とを有し、
前記第１及び第２の端部は、前記底面板と略並行に設置されたことを特徴とする請求項１に記載のＰＣサーバ。
【請求項４】
前記第１の端部の幅は前記第２の端部の幅よりも短いことを特徴とする請求項３に記載のＰＣサーバ。
【請求項５】
前記筐体の前記第１の側面板に対向する側面板であって、前記筐体に対して取り外し可能に設けられた第２の側面板を更に有することを特徴とする請求項１〜４に記載のＰＣサーバ。
【発明の詳細な説明】
【技術分野】
【０００１】
本発明は、ＰＣサーバに係り、保守作業時の落下物の回収を効率良く行うための誘導板を備えたＰＣサーバに関する。
【背景技術】
【０００２】
ＰＣサーバのような情報処理装置は、所定の筐体内に電源や基板、ファンなど多くのユニットを高密度で実装し、小型化を図るように工夫されている。
【０００３】
また、小型化を実現だけでなく、いわゆる熱対策や騒音対策等を考慮して適切な位置に上記ユニットを配置するようにも設計されており、各種ユニットを筐体にネジ等で接合したり、ユニット同士をハーネスやケーブル等で実装しており、ＰＣサーバ内の実装も複雑化している（例えば特許文献１参照）。
【特許文献１】特開平７−４４２７５（第２３頁、図９）
【発明の開示】
【発明が解決しようとする課題】
【０００４】
上述のように、近年のＰＣサーバは限られたスペースの中に複数のユニットを効率よく実装しており、筐体内のユニットの配置も複雑化している。また、上述したように、ユニットは筐体や筐体内に設けられた補助部材等にネジ等の所定の接合部材で固定さている。
【０００５】
また、所定にユニット間はハーネスやケーブル等で電気的な接続を確保している。
【０００６】
一方、実装されているユニットを外すような保守作業が発生した際に、筐体内の残されたわずかな空間の中に手を入れて作業を行う必要がある。
【０００７】
しかし、上述したように近年のＰＣサーバは高密度に実装されており、保守作業の手が入りにくい構造になっている場合も多い。
【０００８】
従って、保守作業の際にはこのネジやハーネス等がうまく回収できず、手の届きにくい場所に落下してしまい、再度利用すべきネジ等を回収するのに時間を要する場合があり、保守作業の非効率さを招くという問題があった。
【０００９】
そこで、本発明は上記の問題を解決するためになされたものであり、筐体を構成する底面板の上に、上記ネジ等の接合部材を回収する為の誘導板を設けることで、保守作業時に発生した落下物の回収作業を低減し、保守効率を高めるＰＣサーバを提供することを目的とする。
【課題を解決するための手段】
【００１０】
上記目的を達成するために、本発明のＰＣサーバは、天面板と、この天面に垂直に連なる第１の側面板と、この第１の側面に連なり前記天面板と対向する底面板とを有する筐体と、前記筐体内に所定の接合方式で接合された少なくとも１つのユニットと、前記ユニットの少なくとも一部の鉛直下方向で、かつ前記底面板上に設けられた誘導板であって、少なくとも１つの端部が前記筐体の前記第１の側面板に対向する面と接し、この接している辺を回転軸として前記底面板と所定の傾斜角をなすように設けられた誘導板とを有することを特長としている。
【発明の効果】
【００１１】
保守作業の効率を高めることができる。
【発明を実施するための最良の形態】
【００１２】
以下、図面を参照しながら本発明の実施の形態を説明する。図１は、本発明の実施の形態の係る情報処理装置の１種であるＰＣサーバにおけるユニットの実装状態を示した図である。図２は、図１のＰＣサーバを背面方向から見た斜視図である。図３は、図１におけるＡ−Ａ断面において、筐体と誘導板を示した図である。尚、図１及び図２は後述する第２の側面板２０を外した状態の図であり、更に図２は、後述する排気ファンダクト４０６、排気ファン４０７、システムボード４０８を不図示とした図である。
【００１３】
このＰＣサーバ１は、筐体１０と、第２の側面板２０と、誘導板３０と、筐体１０内に実装される後述する複数のユニット４０とを主たる構成要素とする。
【００１４】
＜筐体１０について＞
図３に示すように筐体１０は、天面板１１と、この天面１１に垂直に連なる第１の側面板１２と、第１の側面板１２に連なり天面板１１と対向する底面板１３とを有する。筐体１０は例えば板金成型等で形成されている。
【００１５】
図１に示すように天面板１１、第１の側面板１２、底面板１３と垂直に連なる前方部分には板金または樹脂成型品等で構成された正面板１４が設けられている。この正面板１４には、ＤＶＤやＣＤ等のディバイスベイ４０１や磁気ディスク装置４０２の表面の一部が露出するように図示せぬ開口部が設けらている。
【００１６】
第１の側面板１２の正面板１４側には正面パネル１５が設けられている。この正面パネル１５は、図示せぬヒンジ部により正面板１４の全面を覆いかぶるような閉じる位置と、露出するような開く位置との間を回動自在に取り付けられている。更に、この正面パネル１５は、上部パネル１５ａと下部パネル１５ｂから構成されいる。上部パネル１５ａは、正面パネル１５の上部を構成し、その閉じる位置において主としてディバイスベイ４０１を覆いかぶせるような大きさで構成されている。また、下部パネル１５ｂは、正面パネル１５の下部を構成し、その閉じる位置において主として磁気ディスク装置４０２を覆いかぶせるよう大きさで構成されている。尚、上部パネル１５ａと下部パネル１５ｂには図示せぬ係合部が設けられ、この係合部における系合若しくは係合の解除を行うことで、上部パネル１５ａと下部パネル１５ｂとを連動や、非連動で回動することを可能としている。
【００１７】
尚、ＰＣサーバ１の冷却設計によっては、前面ドア１５ａまたは前面ドア１５ｂの一方若しくは双方に所定の開口部を設けてフレッシュエアーを吸入するように構成されている。
【００１８】
図３に示すように、筐体１０の第１の側面板１２に対向する位置には、第２の側面板２０が設けられている。この第２の側面板２０は、所定の位置で筐体１０とネジ等の所定の接合部材で取り付けらている。第２の側面板２０は、例えば板金等で構成されている。
【００１９】
＜ユニット４０について＞
既述のように図１は第２の側面板２０を取り外した状態であり、第２の側面板２０側から見たＰＣサーバ１の実装の状態を示している。図１に示すように、ＰＣサーバ１は、ディバイスベイ４０１、磁気ディスク装置４０２、ＨＤＢＰ（Ｈａｒｄ  Ｄｉｓｋ  Ｂａｃｋ  Ｐａｎｎｅｌ）ボード４０３、吸気ファン４０４、電源モジュール４０５、排気ファンダクト４０６、排気ファン４０７、システムボード４０８等、ＰＣサーバ１の機能を構成する複数のユニットが実装されている。本発明ではこれらのユニットを総称してユニット４０ともいうこととする。
【００２０】
ディバイスベイ４０１は、ＣＤ，ＤＶＤ等の各媒体を記録再生する機能を有し、その表面の一部が正面板１４の上部に位置する開口部から露出するような位置に実装されている。
【００２１】
磁気ディスク装置４０２は、ＰＣサーバ１が行う処理により作成、受信等した情報を記憶する機能を有し、その表面の一部が正面板１４の下部に位置する開口部から露出するような位置に実装されている。この磁気ディスク装置４０２は複数の磁気ディスクユニットが着脱実装可能になっている。
【００２２】
ＨＤＢＰボード４０３は、磁気ディスク装置４０２の背面側に垂直に起立した状態で実装されている。このＨＤＢＰボード４０３は、磁気ディスク装置４０２を制御する制御基板である。即ち、磁気ディスク装置４０２上に実装される図示せぬコネクタに上記磁気ディスクユニットを挿入することで電気的に接続を行い、この接続により磁気ディスク装置４０２を制御するプリント回路基板である。
【００２３】
吸気ファン４０４は、ＨＤＢＰボード４０３の背面側に垂直に設けられ、筐体１０の一部を構成する仕切板１７の開口部に実装されている。吸気ファン４０４は、ＰＣサーバ１にフレッシュエアーを吸入するために設けられており、本実施例では２つの吸気ファン４０４を実装している。その１つは仕切板１７の開口部に直接ネジにより固着するように実装され、他の１つは仕切板１７に実装された吸気ファン４０４に対してネジにより固着するように実装されている。このように複数のファンを実装することでより吸入量を多くすることを可能としている。
【００２４】
電源モジュール４０５は、仕切板１７の上部に底面板１３と平行に設けられた水平方向の仕切板１８上に実装されている。本実施形態では、電源モジュール４０５は２つ設けられ、図２に示すようにその表面の一部が背面板１６の上部に設けられた開口部から露出するような位置にネジ等の接合部材により固着して実装されている。
【００２５】
排気ファンダクト４０６及び排気ファン４０７は、仕切板１８の直下のＰＣサーバ１のほぼ中央部領域に実装されている。この排気ファンダクト４０６及び排気ファン４０７は吸気ファン４０４により吸入したフレッシュエアーを排気し、吸気ファン４０４と供に機能させることでＰＣサーバ１内を冷却する役目を担う。本実施例では２つの排気ファン４０７を実装している。具体的には、排気ファン４０７の１つは背面板１６に直接ネジにより固着するように実装され、他の１つは背面板１６に実装された排気ファン４０７に対してネジにより固着するように実装されている。また、排気ファンダクト４０６は排気ファン４０７の正面パネル１５側にネジにより固着するように実装されており、ＰＣサーバ１内の排気経路を確保してる。このように複数の排気ファン４０７及び排気ファンダクト４０６を実装することでより冷却効果を高めることを可能としている。
【００２６】
システムボード４０８は、ＰＣサーバ１全体を制御するための略四角形の形を有したプリント回路基板であり、第１の側面板１２と排気ファン４０７との間に第１の側面板１２と平行に鉛直方向に起立するように配置され、筐体１０内の所定箇所にネジで固着して実装されている。システムボード４０８には、ＰＣサーバ１を制御する図示せぬＣＰＵ（Ｃｅｎｔｒａｌ  Ｐｒｏｃｅｓｓｉｎｇ  Ｕｎｉｔ）や内臓バッテリ４０８ａ、更にはＰＣサーバ１の機能を拡張するための拡張ボードを取り付けるための拡張スロット４０８ｂが実装されている。尚、上述のように、システムボード４０８は、ＰＣサーバ１全体を制御するための制御基板であるため、他のユニット４０の全てと、コネクタやハーネス、ケーブル等で直接又は間接的に電気的接続を行っている。
【００２７】
Ｉ／Ｏコネクタ郡４０９は、マウスコネクタ、シリアルコネクタ等のＰＣサーバ１と接続するための外部機器を電気的に接続するためのコネクタ郡である。図２に示すようにＩ／Ｏコネクタ郡４０９は、その一部が背面板１６に設けられた開口部から露出しており、かつ、システムボード４０８と電気的に接続している。また、Ｉ／Ｏコネクタ郡４０９は、背面板１６にネジにより固着して実装されている。
【００２８】
＜誘導板３０＞
誘導板３０は、図２に示すように底面板１３上に位置し、ユニット４０の内の少なくとも１つのユニット４０の一部の鉛直下方向に設けられている。
【００２９】
既述のように図２は、誘導板３０の設置箇所を分かりやすくするために、排気ファンダクト４０６、排気ファン４０７、システムボード４０８を省略している。また、本来であれば背面板１６で隠れてしまう誘導板３０の一部も実線で図示している。本実施の形態では、誘導板３０は底面板１３上であって、電源モジュール４０５、排気ファンダクト４０６、排気ファン４０７、システムボード４０８の鉛直下方向に位置する領域に設けられている。
【００３０】
この誘導板３０は、図２や図３に示すように、第１の端部３０ａと、中央部３０ｂと第２の端部３０ｃとで構成された略四角形の平板である。ここで第２の端部３０ｃは第１の側面板１２と対向する面に接している。本実施の形態では、第２の端部３０ｃは底面板１３と連接して鉛直方向に延設した延設板１３ｂと接している。更に、誘導板３０は、第２の端部３０ｃの内、延設板１３ｂと接している辺を回転軸として底面板１３と所定の傾斜角αをなすように設けられてている。
【００３１】
このような誘導板３０を設けることで、ネジやハーネス等の所定の接合部材で取り付けられたユニット４０を取り付け、取り外ししたりする保守作業の際に、過って当該ネジ等を落とした場合でも、誘導板３０が傾斜角αを有していることで、当該ネジ等は第２の端部３０ｃ側に収集されることになる。
【００３２】
具体的には、仮にネジを第１の端部３０ａの領域に落としてしまった場合にでも、当該ネジは、その自重と傾斜角αにより、第２の端部３０ｃの領域まで移動することとなる。
【００３３】
従って、ＰＣサーバ１のような超高密度に実装された情報処理装置においては、保守作業員の手の届かない領域にネジ等を落としてしまった場合でも、その落とした領域まで手を伸ばさずにすばやくネジ等を回収することが可能となる。
【００３４】
尚、発明者が実際に誘導板３０を用いて実験したところ、傾斜角αは、３〜３０度の範囲で設置するのが良く、更に好ましくは５〜１０度の角度が保守作業の効率性の観点から好ましいことが分かった。
【００３５】
尚、補助底面板３０は上述したような当初からＰＣサーバ１内に存在した部品を回収するだけでなく、ＰＣサーバ１内に入り込んだ粉塵等のごみも一括して回収できるという派生的効果も得られる。
【００３６】
（第２の実施の形態）
以下、本発明の第２の実施の形態を説明する。図４は、本発明の第２の実施の形態に係る筐体と誘導板を示した図である。図４は、図３と同様に図１におけるＡ−Ａ断面を示した図であり、特に底面板１３付近を中心に図示している。この図において第１の実施の形態と同一部分は同一記号で示し、その詳細の説明を省略する。
【００３７】
本実施の形態における誘導板３１は、第１の端部３１ａと、中央部３１ｂ、第２の端部３１ｃとで構成されている。誘導板３１が誘導板３０と異なる点は、誘導板３０は平板であったものの、誘導板３１は、第１の端部３１ａと中央部３１ｂは平面を構成しているものの、中央部３１ｂと第２の端部３１ｃとは所定の角度を有して曲げられている点が異なる。これにより、第２の端部３１ｃの全面は、底面板１３と接しており、第１の端部３１ａ及び中央部３１ｂは、底面板１３と傾斜角αを構成している。
【００３８】
誘導板３１をこのように構成することで第２の端部３１ｃをネジを回収する領域として利用することが可能となり、移動してきたネジ等を第２の端部３１ｃの領域に確実に留まらせることを可能とすることで更に保守作業の効率を上げることが可能となる。
【００３９】
（第３の実施の形態）
以下、本発明の第３の実施の形態を説明する。図５は、本発明の第３の実施の形態に係る筐体と誘導板を示した図である。図５は、図３と同様に図１におけるＡ−Ａ断面を示した図であり、特に底面板１３付近を中心に図示している。この図において第１の実施の形態と同一部分は同一記号で示し、その詳細の説明を省略する。
【００４０】
本実施の形態における誘導板３２は、第１の端部３２ａと、中央部３２ｂ、第２の端部３２ｃとで構成されている。誘導板３２が誘導板３０と異なる点は、誘導板３０は平板であったものの、誘導板３２は、第１の端部３２ａと中央部３２ｂとが所定の角度を有しており、更に中央部３２ｂと第２の端部３２ｃが所定の角度を有して曲げられている点が異なる。また、第１の端部３２ａと第２の端部３２ｃとは並行に保たれている。第２の端部３２ｃの全面は、底面板１３と接しており、第１の端部３２ａは、第１の側面板１２から突出する支持板部１２ａ上に接している。これにより、中央部３２ｂは、底面板１３と傾斜角αを構成している。これにより、誘導板３２は、ネジ等で固定する必然性は無くなり、誘導板３２単体を簡単に取り外し可能としている。
【００４１】
従って、仮に誘導板３２の途中にハーネス等の部材が落下してその位置にそのまま停滞し第２の端部３２ｃまで回収できなくても、誘導板３２を取り外すことで効率的に回収することが可能である。尚、第１の端部３２ａ上にネジ等が留まらないように、第１の端部３２ａの長さは、第２の端部３２ｃの長さより短い方が好ましい。
【００４２】
誘導板３２をこのように構成することで第２の端部３２ｃまで移動してこなかった部材までも効率的に回収することができ、更に保守作業の効率を上げることが可能となる。
【００４３】
（第４の実施形態）
以下、本発明の第４の実施の形態を説明する。図６は、本発明の第４の実施の形態に係る筐体と誘導板を示した図である。図６は、図３と同様に図１におけるＡ−Ａ断面を示した図である。この図において第１の実施の形態と同一部分は同一記号で示し、その詳細の説明を省略する。
【００４４】
本実施の形態において、上述した第１の実施の形態と異なる点は、誘導板３０の他に更に別の誘導板である誘導板３３が設けらている点である。ここで、誘導板３３は、第１の端部３３ａと、中央部３３ｂ、第２の端部３３ｃとで構成されている。この誘導板３３は誘導板３０と同様に略四角形の平板である点は同じであるものの、第２の端部３３ｃは底面板１３と接している。更に、誘導板３３は、第２の端部３３ｃの内、底面板１３と接している辺を回転軸として第１の側面板１２と所定の傾斜角βをなすように配置されている。
【００４５】
このように誘導板３０以外に誘導板３３をも設けることで、ＰＣサーバ１を第１の側面板１２を底面として回転して寝かせた状態で設置した場合においても、誘導板３３が傾斜角βを有していることで、ネジが第２の端部３３ｃ側に収集されることになる。従って、ＰＣサーバ１のような超高密度に実装された情報処理装置においては、保守作業員の手の届かない領域にネジを落としてしまった場合でも、当該落とした場所まで手を伸ばさずにすばやくネジを回収することが可能となる。
【図面の簡単な説明】
【００４６】
【図１】本発明の実施の形態の係る情報処理装置の１種であるＰＣサーバにおけるユニットの実装状態を示した図。
【図２】図１のＰＣサーバを背面方向から見た斜視図。
【図３】図１におけるＡ−Ａ断面において、筐体と誘導板を示した図。
【図４】本発明の第２の実施の形態に係る筐体と誘導板を示した図。
【図５】本発明の第３の実施の形態に係る筐体と誘導板を示した図。
【図６】本発明の第４の実施の形態に係る筐体と誘導板を示した図。
【符号の説明】
【００４７】
１  ＰＣサーバ１
１０  筐体１０
１１  天面板１１
１２  第１の側面板１２
１２ａ  支持板部１２ａ
１３  底面板１３
１３ｂ  延設板１３ｂ
１４  正面板１４
１５  正面パネル１５
１５ａ  上部パネル１５ａ
１５ｂ  下部パネル１５ｂ
１６  背面板１６
１７  仕切板１７
１８  仕切板１８
２０  第２の側面板２０
３０  誘導板３０
３０ａ  第１の端部３０ａ
３０ｂ  中央部３０ｂ
３０ｃ  第２の端部３０ｃ
４０  ユニット４０
４０１  ディバイスベイ４０１
４０２  磁気ディスク装置４０２
４０３  ＨＤＢＰボード４０３
４０４  吸気ファン４０４
４０５  電源モジュール４０５
４０６  排気ファンダクト４０６
４０７  排気ファン４０７
４０８  システムボード４０８
４０８ａ  内臓バッテリ４０８ａ
４０８ｂ  拡張スロット４０８ｂ
４０９  Ｉ／Ｏコネクタ郡４０９
α  傾斜角α
【図１】
2007034785.tif 000003
【図２】
2007034785.tif 000004
【図３】
2007034785.tif 000005
【図４】
2007034785.tif 000006
【図５】
2007034785.tif 000007
【図６】
2007034785.tif 000008